(57)【要約】【課題】開閉装置における開閉体の閉鎖側端部の熱変形を低減する。【解決手段】水切り部材３０における当接部材３２が開閉体幅方向に複数分割されて、隣接する当接部材３２の間に空間Ｓを確保するとともに、連結部材３１に対してスライド可能に係合されている。【選択図】図２
2008019669.tif 000002
【特許請求の範囲】
【請求項１】
開閉体の閉鎖動作により当該開閉体の閉鎖側端部を構成する水切り部材が当接対象部位に当接して、構造物の空間部分に防災区画を形成する開閉装置において、
前記水切り部材が、開閉体本体の閉鎖側端部に連結される連結部材と、当接対象部位に当接する当接部材とで構成され、
当接部材は、開閉体幅方向に複数分割されて、隣接する当接部材の間に空間を確保するとともに、連結部材に対して係合手段を介して連結されていることを特徴とする開閉装置。
【請求項２】
前記水切り部材は、開閉体本体の開閉体幅方向の長さと略同長とする金属板の開放側端部に開閉体本体に対して係合する係合部が形成された連結部材と、当該連結部材の厚さ方向側の両面又は片面に対して対面状に係合する係合部の閉鎖側端部から当接板部を開閉体厚さ方向へ突出させてなる当接部材とで構成されていることを特徴とする請求項１に記載の開閉装置。
【請求項３】
連結部材と当接部材とが、当該連結部材と当接部材とに軸部が貫通する貫通孔を形成し、当該貫通孔の一方又は両方を前記軸部の径よりも大径に形成し、両貫通孔に貫通された軸部の貫通端部に抜け止め部を配してなる係合手段によりスライド可能に係合されていることを特徴とする請求項１又は請求項２に記載の開閉装置。
【請求項４】
前記抜け止め部と連結部材と当接部材との少なくとも何れかの間に、熱によって溶融する素材からなるスペーサー部材が介在されていることを特徴とする請求項３に記載の開閉装置。
【請求項５】
前記連結部材における一方の面側の当接部材間の空間と、他方の面側の当接部材間の空間とを正対させていることを特徴とする請求項１乃至請求項４いずれか１項に記載の開閉装置。
【請求項６】
前記連結部材における一方の面側の当接部材間の空間と、他方の面側の当接部材間の空間とを開閉体幅方向にずらしていることを特徴とする請求項１乃至請求項４いずれか１項に記載の開閉装置。
【発明の詳細な説明】
【技術分野】
【０００１】
本発明は、開閉体の閉鎖により構造物の空間部分を仕切るようにした開閉装置に関し、特に、防災用シャッター装置を含むシャッター装置として好適な開閉装置に関するものである。
【背景技術】
【０００２】
本発明の開閉装置に関連する先行技術文献情報として、例えば、下記の特許文献１及び特許文献２が存在する。  
【特許文献１】特開平１１−１１７６４１号
【特許文献２】特開２００５−８３０２７号
【０００３】
前記特許文献１及び特許文献２に記載の開閉装置は、開閉体開閉方向（上下方向）に沿ってスラットを複数枚連結するとともに、当該スラットの閉鎖方向端側のスラットに構成する水切り部材を備えてなるシャッターカーテンを備えたシャッター装置である。
前記水切り部材は、一般的に金属板材を用いて断面略逆Ｔ型状や断面略Ｌ型状に形成し、開閉方向側部位をスラットが掛合する連結部とし、幅方向側部位を当接対象部位への当接面部としている。
このシャッター装置によれば、シャッターカーテンを閉鎖させることにより、構造物の空間部分を仕切るばかりでなく、例えば、防火性と遮煙性の内の少なくとも防火性を備えたシャッターカーテンを採用することによって、火災発生時において構造物の空間部分に防災区画を形成して延焼を防ぐ防災用シャッター装置となる。
【発明の開示】
【発明が解決しようとする課題】
【０００４】
ところで、前記防災用シャッター装置の場合、シャッターカーテンの閉鎖動作により、水切り部材が当接対象部位に接触して防災区画が形成されるが、火災発生場所がシャッターカーテンに近かったり、火災の火力が強かったりした場合には、水切り部材が加熱されて高温状態となる。
そのため、水切り部材が高温によって熱変形し、この熱変形により水切り部材における当接面部と当接対象部位との間に大きな隙間が生じる場合がある。
【０００５】
本発明は、開閉装置における開閉体の閉鎖側端部の熱変形を低減することを課題とし、この課題を解決した開閉装置の提供を目的とする。
【課題を解決するための手段】
【０００６】
前記課題を解決するために本発明が採用した技術的手段は、開閉体の閉鎖動作により当該開閉体の閉鎖側端部を構成する水切り部材が当接対象部位に当接して、構造物の空間部分に防災区画を形成する開閉装置において、
前記水切り部材が、開閉体本体の開閉方向端部に連結される連結部材と、当接対象部位に当接する当接部材とで構成され、
当接部材は、開閉体幅方向に複数分割されて、隣接する当接部材の間に空間を確保するとともに、連結部材に対して係合手段を介して連結されていることを特徴とする開閉装置にしたことである。
【０００７】
ここで、本発明に係る開閉装置は、少なくとも閉鎖方向へ動作可能な開閉体を備え、該開閉体の閉鎖動作により空間部分に防災区画を形成するように構成された装置であればよく、この開閉装置には、開閉体が閉鎖動作のみを行うように用いられる形態、開閉体が開放動作と閉鎖動作との双方を行うように用いられる形態等を含む。
又、この開閉装置には、開閉体をその開放方向側の巻取軸によって巻取り、該巻取軸から繰り出すようにした形態や、開閉体をその開放方向側の収納部位へ巻き取ることなく収納し、該収納部位から繰り出すようにした形態等を含む。
又、この開閉装置には、開閉体を駆動源（例えば電動モータや水圧タービン、スプリングの付勢力等）によって動作させる態様、開閉体を自重によって動作させる態様、開閉体を手動で動作させる態様等を含む。
【０００８】
又、前記開閉体本体は、少なくとも火災による火炎を遮断可能な形態であればよいが、好ましくは、更に火災による煙も遮断可能な形態とされる。この開閉体本体の具体例としては、耐火性を有する複数のスラットを開閉方向へ連設してなる形態、耐火性を有する単数もしくは複数のパネルや、シート状物を開閉方向へ設けてなる形態、あるいは耐火性を有するスラット、パネル、シート状物等を適宜に組み合わせてなる形態等を含む。
【０００９】
又、前記水切り部材は、開閉体本体の開閉方向端部に連結される連結部材と、当接対象部位に当接する当接部材とで構成される形態であればよく、例えば、開閉体本体の幅方向の長さと略同長とする金属板の開放側端部に開閉体本体に対して係合する係合部が形成された連結部材と、当該連結部材の厚さ方向側の両面又は片面に対して対面状に係合する係合部の閉鎖側端部から当接板部を開閉体厚さ方向へ突出させてなる当接部材とで構成される形態を含む。
【００１０】
又、前記連結部材に対する当接部材のスライドは、開閉体開閉方向や開閉体幅方向、あるいは、これら両方向に対して傾斜する方向等を含む。
又、前記当接部材の連結部材に対してスライド可能に係合とは、外力を加えることによりスライドする係合、外力によらず例えば自重等によってスライドする係合を含む。
【００１１】
又、前記連結部材に対し当接部材を連結する形態としては、例えば、連結部材と当接部材とに軸部が貫通する貫通孔を形成し、当該貫通孔の一方又は両方を前記軸部の径よりも大径に形成し、両貫通孔に貫通された軸部の貫通端部に抜け止め部を配してなる係合手段によりスライド可能に連結する形態が好ましい。
ここでいう係合手段は、軸部と抜け止め部とが一体であっても別体であってもよく、この係合手段には、例えば、軸部にボルト軸部を用い、抜け止め部にボルト頭部およびナットを用いる連結手段、軸部と抜け止め部が一体化されたリベットを用いる係合手段等の周知の手段を用いることができる。
又、前記軸部の径よりも大径な貫通孔の形態は、貫通孔に対して軸部が遊びをもって貫通する形態であればよく、例えば、略長孔状、略丸孔状等が挙げられる。
【００１２】
前記係合手段が外力を加えることによりスライド可能な係合である場合、抜け止め部と連結部材と当接部材との少なくとも何れかの間に、熱によって溶融する素材からなるスペーサー部材を介在させることが好ましい。
この構成によれば、常温時は、火災によって生じる高温の熱でスペーサが溶融したときと比べて、当接部材を連結部材に対してスライドし難くすることができ、例えば当接部材に外力が加わらないと当接部材が連結部材に対してスライドしない状態となる。また、火災によって生じる高温の熱でスペーサが溶融したときには、常温時と比べて、当接部材を連結部材に対してスライドさせ易くすることができ、例えば当接部材が連結部材に対して外力によらず自重等によってスライドするようになる。
ここでいう熱によって溶融する素材とは、火災によって生じる高温の熱で溶融する素材を意味する。この素材には、通常の外気温では溶融しないものであって、開閉体や連結部材、当接部材、係合手段等よりも融点の低い素材が用いられ、この素材の具体例としては、合成樹脂材、融点の比較的低い金属材、ガラス等が挙げられる。
【００１３】
又、前記当接部材が連結部材の厚さ方向側の両面に対して係合される形態の場合における当接部材の分割形態としては、例えば、前記連結部材における一方の面側の当接部材間の空間と、他方の面側の当接部材間の空間とを正対させた形態、あるいは、前記連結部材における一方の面側の当接部材間の空間と、他方の面側の当接部材間の空間とを開閉体幅方向にずらした形態のいずれでもよい。
【００１４】
尚、本明細書中において「閉鎖側端部」とは、開閉体の閉鎖状態において、床面や地面、枠部材等の当接対象部位に当接する側の端部を意味する。
又、本明細書中において、「開放側端部」とは、前記「閉鎖側端部」の反対側の端部を意味する。
又、本明細書中において「開閉体幅方向」とは、開閉体の開閉方向と略直交する方向であって、前記開閉体の厚さ方向ではない方向を意味する。
又、本明細書中において「開閉体開閉方向」とは、開閉体が空間を仕切ったり開放したりするためにスライドする方向を意味する。
又、「開閉体厚さ方向」とは、閉鎖状態の前記開閉体の厚さ方向を意味する。
【発明の効果】
【００１５】
本発明の開閉装置によれば、当接部材が開閉体幅方向に沿って空間を確保して分割されているので、各当接部材が加熱されて膨張した際に、当接部材の膨張を当接部材間の空間で吸収することで、当接部材の熱変形を低減することができる。
したがって、開閉装置における開閉体の閉鎖側端部の熱変形を低減し、当該閉鎖側端部と当接対象部位との隙間を小さくして、良好な防災区画を確保することができる。
更に、当接部材をスライド可能に構成すれば、当接部材の熱変形を、より効果的に低減することができる。
【発明を実施するための最良の形態】
【００１６】
以下、本発明の開閉装置を実施するための最良の形態を図１乃至図４に基づいて説明する。
本形態の開閉装置は、住宅やビル、倉庫、工場、地下街、トンネル等の構築・構造物における空間部分に防災区画を形成する防災用シャッター装置として説明する。
尚、本形態で図示する図面は、模式的に示している。
【００１７】
第１の形態の開閉装置１は、閉鎖側端部を開閉方向へスライドさせて開閉動作する開閉体１０を、左右のガイドレール２０によって、開閉体１０の幅方向の両端部が開閉方向へ案内するとともに、開閉体開放方向側に配設された巻取り装置（図示せず）により巻き取ったり繰り出したりするものである。
なお、この開閉装置１は、上向きに開放動作し、下向きに閉鎖動作する。
【００１８】
開閉体１０は、横長略矩形状の金属板を曲げ加工してなるスラット１１を、上下に隣接するスラット間で回動するように複数連接することで、開閉体本体１２を構成し、この開閉体本体１２の下側（閉鎖方向側）の端部に、床面や地面、枠部材等の当接対象部位Ｂに当接させるための水切り部材３０を、開閉体１０幅方向にわたって接続している。
【００１９】
前記水切り部材３０は、横長略矩形状の金属板からなるものであり、当該金属板における開放方向側端部に、スラット１１の連結部１１Ａに対して係合可能に曲げ加工した係合部３１Ａを備えた連結部材３１と、当該連結部材３１の厚さ方向両面に配された断面略Ｌ型状の複数の当接部材３２とから構成されている。
符号３３は、前記連結部材３１の幅方向両端に配された被ガイド部であり、前記ガイドレール２０内にスライド可能に嵌合する部位を構成する。
【００２０】
前記当接部材３２は、前記連結部材３１に対してその開閉体幅方向に沿って、隣り合う当接部材３２間に、当該当接部材３２の加熱による膨張を吸収するための空間Ｓを確保して開閉体幅の略全体にわたって並列状に配設されている。
又、前記連結部材３１の厚さ方向両面の当接部材３２は、互いの空間Ｓが正対するように配設されている。
又、前記空間Ｓの幅は、僅少とすることも可能であるが、当接部材３２の膨張率等を考慮すれば、当接部材３２の厚さと略同等以上とすることが好ましい。
なお、第１の形態の開閉装置１のうように空間Ｓが複数設けられている場合には、空間Ｓの幅が互いに異なっていても構わないが、図示例の好ましい一例によれば、熱変形をより効果的に低減するために、複数の空間Ｓの幅を互いに略等しくしている。
又、断面略Ｌ型状の当接部材３２は、略Ｌ型状の開放方向側が前記連結部材３１の係合面部３１Ｃに対して係合する係合面部３２Ａとし、厚さ方向側が当接対象部位Ｂに対して当接する当接面部３２Ｂとされており、前記係合面部３２Ａを連結部材３１に対して、ボルト・ナットで構成される係合手段４で係合している。
【００２１】
前記係合面部３１Ｃには、前記係合手段４における軸部であるボルト軸部４１を貫通させる貫通孔３１Ｂが複数開孔されている。
又、係合面部３２Ａには、前記ボルト軸部４１が貫通するとともに、当接部材３２の加熱による膨張を吸収するための貫通孔である長孔５が、長手方向を開閉方向として幅方向に沿って前記貫通孔３１Ｂと同数で正対するように開孔されている。
そして、前記貫通孔３１Ｂと長孔５に貫通されたボルト軸部４１により当接部材３２が開閉方向にスライド可能に支持される。
前記ボルト軸部４１は、前記長孔５から突出した部位に前記係合手段４の抜け止め部であるナット４２が螺合されており、また、ボルト頭部４４も係合手段４における抜け止め部として構成されるので、このナット４２の締め付け力により、前記当接部材３２を、連結部材３１、ボルト頭部４４、ナット４２等により挟持することで、通常の温度では当接部材３２がスライドしないようにしている。
【００２２】
符号６は、開閉体１０を手動により開閉する際に用いる引っ掛け棒（図示せず）を引っ掛けるための開孔部であり、当該開孔部６は、開閉体１０の幅方向中央に位置する当接部材３２における当接面部３２Ｂに開孔されている。
前記引っ掛け棒は、先端が略フック形状に曲げられた略棒状の操作補助具であり、その略フック形状の先端部が前記開口部６に挿入され掛合する。
【００２３】
前記ナット４２と連結部材３１の間には、合成樹脂材からなる略ワッシャ状のスペーサー部材４３が介在されており、当該スペーサー部材４３を介してナット４２の締め付け力を当接部材３２と連結部材３１とに作用させている。
すなわち、前記スペーサー部材４３が火災による高温で溶融すると、当該スペーサー部材４３の支持力が低下したり流れ落ちたりして、前記ナット４２の締め付け力が作用しなくなるため、当接部材３２が弱い力でスライド可能になったり自重によってスライドしたりするようにされる。
なお、スペーサー部材４３は、ボルト頭部４４、当接部材３２、ナット４２の少なくとも何れかの部材間に介在されていればよい。
【００２４】
本形態の開閉装置１によれば、火災発生時において開閉体１０が閉鎖されて防災区画を形成した際に、前記当接部材３２における当接面部３２Ｂが当接対象部位Ｂに対して略適合状に当接する。
このとき、前記火災による熱により開閉体１０が加熱されて高温状態になると、前記スペーサー部材４３が溶融するとともに、当接部材３２が熱により膨張して、その多くは、図示するような開放方向への弓なり変形や閉鎖方向への弓なり変形しようとする。
この加熱による当接部材３２の膨張は、スペーサー部材４３の溶融による当接部材３２の挟持解除による連結部材３１に対する開閉方向へのスライド及び前記空間Ｓにより吸収されることで、膨張による当接部材３２の変形が低減される。
更に、当接部材３２は、複数に分割された形態であることから前記膨張による変形が生じた場合、その変形は、連結部材３１の幅方向全域に亘る長さの当接部材の変形に比べて小さいものとなる（図２参照）。したがって、当接部材３２と当接対象部位Ｂとの間に生じる隙間を、比較的小さくすることができる。
更に、連結部材３１が膨張して弓なり変形した場合でも、当接部材３１が閉鎖方向へスライドすることにより、当該当接部材３２における当接面部３２Ｂが当接対象部位Ｂに当接して、連結部材３１の弓なり変形によって生じる隙間５０を塞ぐことが可能となる。
したがって、当接部材３２の熱変形を低減し、当該当接部材３２における当接面部３２Ｂと当接対象部位Ｂとの隙間５０を小さくして、良好な防災区画を確保することができる。
【００２５】
次に、本発明に係る開閉装置の第２の形態を図５に基づいて説明する。
尚、前記第１の形態の開閉装置１と重複する部位についての説明は、同符号を付すことにより説明は省略する。
【００２６】
本形態の開閉装置１’は、水切り部材３０における当接部材３２を、前記連結部材３１における一方の係合面部３１Ｃ側の当接部材間３２の空間Ｓと、他方の係合面部３１Ｃ’側の当接部材３２間の空間Ｓとを開閉体幅方向にずらした形態としたものである。
具体的には、前記連結部材３１における係合面部３１Ｃ側の当接部材間３２の空間Ｓが、他方の係合面部３１Ｃ’側の当接部材３２の幅方向の略中心と対面するように、当接部材３２を交互にずらした形態としたものである。
【００２７】
又、本形態の開孔部６は、図示するように、当接部材３２をずらしたことにより、当該当接部材３２が開閉体１０の幅方向中央に位置しないような場合には、最も開閉体１０の幅方向中央に近い当接部材３２の当接面部３２Ｂのより開閉体１０の幅方向中央に近い部位に開孔している。
【００２８】
本形態の開閉装置１’によれば、第１の形態と同様の作用で膨張による当接部材３２の変形が低減され、前記膨張による変形が小さいものとなる上に、水切り部材３０における当接部材３２を、前記連結部材３１における係合面部３１Ｃ側の当接部材間３２の空間Ｓと、係合面部３１Ｃ’側の当接部材３２間の空間Ｓとを開閉体幅方向にずらしているので、図示するように、連結部材３１や当接部材３２が開放方向へ弓なり変形して隙間が生じた場合に、一方の面側の弓なり変形した当接部材３２の幅方向両端部の位置が、他方の面側の弓なり変形した当接部材３２の隙間の一部を塞ぐような位置関係となり、前記隙間の面積をより小さいものとすることができる。
【００２９】
なお、上記実施の形態において、上記スペーサ４３は、難燃性または不燃性を有する材質であることが好ましい。
また、他の構成により上記スペーサ４３と同様の作用効果を得るためには、このスペーサ４３を、火災時等の高熱により開閉体厚さ方向へ収縮する材料から形成したり、火災時の高熱により崩壊するような材料から形成したり等することが考えられる。
また、上記実施の形態において、上記スペーサ４３は省略することも可能であり、この構成においても、隣り合う連結部材３１，３１間の空間Ｓにより、各連結部材３１の熱変形を抑制するという効果を得ることができる。
【００３０】
また、上記実施の形態において、当接部材３２の数は、図示例に限定されるものでなく、開閉体１０の幅方向の長さに応じて適宜な数とされる。
また、この当接部材３２の数は、図３に示す一例によれば、開閉体１０の表側と裏側とで同数としているが、他例としては表側と裏側とで異なる数としてもよい。
また、この当接部材３２は、開閉体１０の表側と裏側との内の一方側で複数（分割された構成）とすれば、その他方側を単数（分割されていない構成）とすることも可能である。この構成の場合、一方側の複数の当接部材３２により、上述した変形抑制効果を得ることができる。
また、この当接部材３２は、表側と裏側との内の何れか一方側のものを省略することが可能である。
【００３１】
また、図示例によれば、係合手段４のボルト軸部４１を貫通させる長孔５は、当接部材３２のみに設けるようにしているが、この長孔５は、当接部材３２と連結部材３１との何れか一方又は双方に設ければよい。
【００３２】
また、図示例によれば、長孔５の長手方向を開閉体開閉方向としているが、この長孔５の長手方向を開閉体幅方向とすることも可能である。
好ましい一例として、上記長孔５を当接部材３２と連結部材３１との双方に設け、その一方の長孔５を開閉体開閉方向へ長い長孔とし、その他方の長孔５を開閉体幅方向へ長い長孔とすれば、これら一方および他方の長孔５，５により、当接部材３２の熱変形を、一層効果的に低減することができる。
【００３３】
また、上記実施の形態では、隣り合う連結部材３１，３１間の全てに空間Ｓを確保するようにしているが、他例としては、一部の空間Ｓを省略することも可能である。
【００３４】
また、上記実施の形態において、引っ掛け棒を掛合させるために開閉体１０の表裏両側に設けた開口部６，６は、当該開閉装置の使用態様等に応じて、その片方または両方を省略することが可能である。
【００３５】
また、上記実施の形態では、当接部材３２を連結部材３１に対しスライド可能に連結しているが、他例としては、当接部材３２を連結部材３１に対しスライド不能にした構造としてもよい。この構造の場合、例えば、ボルト・ナットやリベットなどからなる係止手段の軸部が貫通する孔を、係止手段の軸部と略同径の丸孔とし、該係止手段により当接部材３２と連結部材３１とを固着するようにすればよい。
【図面の簡単な説明】
【００３６】
【図１】本発明に係る開閉装置の第１の形態を示す正面図。
【図２】図１の要部拡大図。
【図３】図２の（３）-（３）線断面図。
【図４】図３の（４）-（４）線拡大断面図。
【図５】本発明に係る開閉装置の第２の形態を示す断面図。
【符号の説明】
【００３７】
１,１'：開閉装置
１０：開閉体
１２：開閉体本体
３０：水切り部材
３１：連結部材
３２：当接部材
３２Ａ：係合面部
３１Ｃ,３１Ｃ’：係合面部
４：係合手段
４１：ボルト軸部（軸部）
４２：ナット（抜け止め部）
４３：スペーサー部材
５：長孔（貫通孔）
５０：隙間
Ｓ：空間
【図１】
2008019669.tif 000003
【図２】
2008019669.tif 000004
【図３】
2008019669.tif 000005
【図４】
2008019669.tif 000006
【図５】
2008019669.tif 000007